(57)【要約】【課題】データの検索式を覚えておき、瞬時に呼び出したり、再編集して再利用することによって検索に要する手間を軽減することができる情報処理装置を提供すること。【解決手段】本発明に係る情報処理装置は、キーワード入力手段、該キーワード入力手段により入力されたキーワードから検索式を作成する検索式作成手段、ファイルを記憶するファイル記憶手段、前記検索式作成手段により作成した少なくとも１つの検索式に基づき前記ファイル記憶手段により記憶されたファイルを検索するファイル検索手段、前記キーワード、前記検索式、前記ファイルを表示する表示手段、前記検索式を記憶させる検索式記憶手段、該検索式記憶手段により記憶された該検索式を一覧表示させる検索式一覧表示手段、該検索式一覧表示手段を実行させるための検索式一覧表示手段、該検索式一覧表示指示手段の１つとして操作ボタンを表示器に表示させる操作ボタン表示手段を有する。【選択図】図１
2005267536.tif 000002
【特許請求の範囲】
【請求項１】
キーワードを入力するキーワード入力手段、該キーワード入力手段により入力されたキーワードから検索式を作成する検索式作成手段、ファイルを記憶するファイル記憶手段、前記検索式作成手段により作成した少なくとも１つの検索式に基づき前記ファイル記憶手段により記憶されたファイルを検索するファイル検索手段、前記キーワード、前記検索式、前記ファイルを表示する表示手段、前記検索式を記憶させる検索式記憶手段、該検索式記憶手段により記憶された該検索式を一覧表示させる検索式一覧表示手段、該検索式一覧表示手段を実行させるための検索式一覧表示手段、該検索式一覧表示指示手段の１つとして操作ボタンを表示器に表示させる操作ボタン表示手段を有することを特徴とする情報処理装置。
【請求項２】
前記検索式一覧表示手段により表示された検索式を編集する検索式編集手段を有することを特徴とする請求項１記載の情報処理装置。
【請求項３】
前記検索式記憶手段により記憶された検索式、或は前記検索式編集手段により編集された検索式に基づき、ファイルの再検索を行うファイル再検索手段を有することを特徴とする請求項２記載の情報処理装置。
【請求項４】
前記検索式を構成する前記キーワードのうち少なくとも１つのキーワードを選択するキーワード選択手段を有し、該キーワード選択手段により選択したキーワードに基づき前記ファイル再検索手段を実行することを特徴とする請求項３記載の情報処理装置。
【発明の詳細な説明】
【技術分野】
【０００１】
本発明は、情報処理装置に関し、特に装置で扱うデータの中から所望のデータを検索できる情報処理装置に関するものである。
【背景技術】
【０００２】
情報機器の性能進化と普及は飛躍的に進み、扱うデータも文字から画像、音声までマルチメディアと呼ばれる分野に広がってきている。様々な場面で、様々な種類のファイルを扱え、しかも、大量のファイルを保存できるようになった。一方で、使用用途や使用場面が、又、扱えるファイルの種類が増えるに連れ、同時に、保存できるファイルの量が増えるに連れて、所望のファイルを探すのが困難になっている。このような中でファイルの種類毎にアイコンを定め、並べて表示することのできるオブジェクトブラウザは、使用できるファイルをユーザに分かり易く表示する方法と言える。又、ファイルの種類や日付等によって目的のファイルを検索できる方法が知られている。
【０００３】
ここで、所望のファイルを探す時に、そのファイルが置いてあるフォルダ等が分かっていて探す場合、又は様々な種類を扱うことのできるために複数種類のファイルがある中で所望のファイルだけ特別なデータ種類である場合等には、例えばオブジェクトブラウザによって一覧になっていれば簡単に使いたいファイルを見つけることができると考えられる。
【０００４】
しかしながら、その一覧が表示し切れないほどある場合等は、その一覧の中から簡単にファイル検索を行うことは難しいので或る程度絞り込んでから表示させる必要がある。特に携帯情報端末等の小型機器では表示できるスペースも限られるため、その傾向は顕著である。このような場合は勿論、ファイルの場所やファイルの名前が曖昧な時には効率良く検索して所望のファイルを見つける必要がある。
【０００５】
勿論、使用したいファイルがはっきりと分かっている場合には、条件を与え易いので検索は比較的容易になると考えられる。しかし、そうでない場合には様々な要素を与えてファイルを絞り込んでいく必要がある。検索は、ファイルに含まれるキーワードやファイル作成の日時、ファイルの種類等の様々な条件を入力することができるが、うまく絞られないことも多く何度か試行錯誤を繰り返すことが多い。この場合、一度検索した結果で得られたファイルが膨大過ぎた場合には式の入力をやり直すが、一部分を追加したり、修正したりできれば比較的楽に再検索ができる。
【０００６】
【特許文献１】特開２００２−１９７１１３号公報
【発明の開示】
【発明が解決しようとする課題】
【０００７】
しかしながら、例えば携帯情報端末等のような小さな端末では、ユーザのために簡単な検索を実現することは難しい。なぜならば、マウス等の入力装置を用いて一度入力した文書をコピーして貼り付けることができれば良いが、携帯端末等には特別に装備しない限りそのような入力手段を持たない端末が多いからである。そのような端末では文書のコピーや貼り付けは煩雑な作業となる。
【０００８】
又、小さな画面上にユーザが判別できるサイズで表示しようとすれば、表示できる要素は限られてくる。このため、前述のようにオブジェクトブラウザに表示する検索結果数は限られるのでファイルを探すのはより困難であると言える。ファイルの検索に関しても、簡単に検索をやり直すために、検索画面を常に表示させておき、同時に検索結果を小さなサイズにして表示すれば良いが、小さな画面しか持たない端末上で行った場合にはユーザにとって分かりにくくなることは容易に想像できる。逆に、検索の度に画面を切り替える必要がある場合には、切り替えるというユーザの作業が増えてしまうために操作性は落ちる。
【０００９】
又、例えば、データの種類や作成日等が同じ花の画像データを２種類の花で探していて、その条件に合う花の画像データが大量にあったとする。この場合には、データの種類、作成日等と共に花の名称まで先ず検索式に入力して片方のデータが見つけた後、もう一方のデータは、検索式中で花の名称を書いたキーワード部分だけを換えた検索式を再利用して見つけたい。一度検索画面に戻って、検索式入力部分に元の状態が残っていれば花の名称の部分だけを入力しなおせば良い。
【００１０】
しかし、例えば、すぐ後には他の検索をしたために検索式が残っていなかった場合等、又、初めから入力し直すのは面倒である。
【００１１】
逆に、検索しているファイルが決まった１つのファイルではなく、検索しながら使用するファイルを決めていく場合等も、似たような条件で検索を繰り返すことが多い。例えば、一度目の検索ではうまく絞り込めなかったので違う検索式に直した結果得られたファイルに対して、その結果の中から一度目に設定した条件に見合うものだけ選び出したい場合等も、再度検索式の入力からやり直す必要があり、ファイルを選ぶまでに煩雑な作業を伴うことは否めない。
【００１２】
更に、例えば自分の端末にある静止画像と動画像の中から、或る条件を満たすファイルを検索した後、自端末にある静止画像全てを見たければ、一度式の評価は終わっている筈なのに、再び検索条件を静止画像であるファイルとして検索し直さなければならない。前述の例で言えば、所望の花のファイルを絞り込んだ後に花の種類で絞り込む前の、他の花のファイルを見てみたいときにも、花の種類のキーワードを１つ削除する等して再検索しなければならない。
【００１３】
本発明は上記問題に鑑みてなされたもので、その目的とする処は、データの検索式を覚えておき、瞬時に呼び出したり、再編集して再利用することによって検索に要する手間を軽減することができる情報処理装置を提供することにある。
【課題を解決するための手段】
【００１４】
上記目的を達成するため、請求項１に記載の情報処理装置は、キーワードを入力するキーワード入力手段、該キーワード入力手段により入力されたキーワードから検索式を作成する検索式作成手段、ファイルを記憶するファイル記憶手段、前記検索式作成手段により作成した少なくとも１つの検索式に基づき前記ファイル記憶手段により記憶されたファイルを検索するファイル検索手段、前記キーワード、前記検索式、前記ファイルを表示する表示手段、前記検索式を記憶させる検索式記憶手段、該検索式記憶手段により記憶された該検索式を一覧表示させる検索式一覧表示手段、該検索式一覧表示手段を実行させるための検索式一覧表示手段、該検索式一覧表示指示手段の１つとして操作ボタンを表示器に表示させる操作ボタン表示手段を有することを特徴とする。
【００１５】
請求項２記載の情報処理装置は、前記検索式一覧表示手段により表示された検索式を編集する検索式編集手段を有することを特徴とする。
【００１６】
請求項３記載の情報処理装置は、前記検索式編集手段により編集された検索式に基づき、ファイルの再検索を行うファイル再検索手段を有することを特徴とする。
【００１７】
請求項４記載の情報処理装置は、前記検索式を構成する前記キーワードのうち少なくとも１つのキーワードを選択するキーワード選択手段を有し、該キーワード選択手段により選択したキーワードに基づき前記ファイル再検索手段を実行することを特徴とする。
【発明の効果】
【００１８】
ファイルの検索結果表示画面に検索履歴を表示するためのボタンを表示し、前記ボタンが押されると検索の履歴を表示することで、検索画面に戻ったり、検索をやり直したりする際のユーザの操作時間短縮等、利便性が向上する。特にサイズ等の制約から、複数のウィンドウを表示できない場合等はボタンによって簡単に切り替えられれば便利である。勿論、検索履歴の中にそのまま使用したい検索式があれば、その式を選択するだけで良いので、入力に伴う作業も減少する。
【００１９】
これに加えて検索式の一部だけを変更して使用したい場合には、表示した検索履歴の再編集ができるので、最初から入力する等、ユーザの必要作業が減少し、操作性が向上する。
【００２０】
又、履歴の検索式を選択すると、現在の検索によって絞られているファイルに対して、選択された検索式による検索を行うこともできるので、検索式に絞り込みたい要素を再入力する必要がなくなり操作性が向上する。
【００２１】
更には、表示した履歴の検索式の一部を選択すると、その一部のみに対する検索結果を表示することができるので、新たに検索式を入力したり、以前の検索式から使用したいキーワード以外を削除したりする必要がなくなり操作性が向上する。
【発明を実施するための最良の形態】
【００２２】
以下に本発明の実施の形態を添付図面に基づいて説明する。
【００２３】
図１は本実施の形態に係る携帯情報端末の構成を示すブロック図である。この図において、１００は本体であり、プログラムを内蔵したＲＯＭやそのプログラムに従って動作するＣＰＵ等を備えたシステム制御部１０１を備えている。１０２はメモリ、１０３はデータを表示するための表示部、１０４はユーザの操作を受けるための入力手段である。１０５は画像データファイルや文字データファイル等の様々な種類のデータを、データの種類や作成日時等の条件によって検索する検索手段であり、１０６は記憶手段である。
【００２４】
入力手段１０４に対するユーザ操作により、ファイルの検索が要求されると、入力手段１０４から検索のためのキーワード入力を受け付ける。システム制御部１０１のプログラムによって入力されたキーワードから検索式を作成し、ファイル検索手段１０５によって指定された検索条件式に合致するファイルが検索される。検索結果を一覧にして表示部１０３に表示する。同時に、今までに実行した検索式の一覧を表示する画面に切り替えることができる検索履歴一覧ボタンを表示部１０３に表示する。このボタンが指示手段となる。
【００２５】
図２は表示部１０３によって出力される検索結果画面の一例である。
【００２６】
検索結果の表示画面の大部分がオブジェクトを表示できるようになっているが、それでも表示し切れない場合にはスクロール２０１で移動することによって表示できる。又、これまでに実行した検索式を一覧で表示するための指示手段の１つとしての操作ボタン例を２０２に示す。
【００２７】
図３は検索履歴一覧ボタンが押されることによって表示される検索式履歴表示画面の一例である。
【００２８】
検索履歴一覧が表示し切れない場合には、スクロール３０１で移動することで残りの表示を行う。ここで検索履歴には検索日時と検索式を表示したが、検索を実行した際にその条件式を満たす結果がどれだけあったのか分かれば有効な式が分かり易いので検索当時のヒット数を表示しても良い。
【００２９】
以上のように検索式を覚えておき、検索履歴一覧ボタンを表示することによって、簡単に検索式を呼び出すことができる。
【００３０】
図４は検索履歴一覧を表示してから、表示した検索履歴の再編集を行う際の動作を示したフローチャートである。
【００３１】
検索式の評価が終了すると、検索結果の表示画面に検索式一覧表示指示手段として検索一覧ボタンを表示するが、ステップ４０１で検索一覧ボタンが押されると、検索履歴の一覧を表示する（ステップ４０２）。ステップ４０３において、表示した検索式中の文字部分が選択されると、ステップ４０４で選択された部分について入力がやり直せる。検索式の選択部分を四角形で囲んでテキスト入力画面としても良く、ユーザが検索式を選択したら新たに編集ボタンや確定ボタンを画面表示して、それらのボタンによって式の再確定をする代わりにそのまま式に書き込めるようにしても良い。
【００３２】
検索式を選択するのではなく、最初に検索式設定のためのボタンを設けておき、そのボタンを押すことによって、検索式の設定ができるようにしても良く、検索式が選択されたことが分かればどのような方法であっても良い。式の入力待ち受け時は、カーソルを点滅させる等してユーザの入力を促す。編集が終了すると（ステップ４０５）、再編集した検索式について検索できるようになっているのでユーザの検索実行要求を待つ。ステップ４０６で検索が要求された場合には再び検索を行い、ステップ４０７で検索結果を表示する。検索が実行されたので、再編集された式も検索式の履歴に表示できるように保存される。検索式が選択されない場合や、検索しない場合は、ステップ４０８で終了を判断して処理を終える。
【００３３】
以上のように、検索履歴一覧で表示した検索式の編集が行えるので、簡単に検索式の再利用ができユーザの負担が減少する。
【００３４】
図５は表示した検索履歴の検索式を選択し、現在の検索によって絞られているファイルに対して、選択された検索式による検索を行う際の動作を示したフローチャートである。検索が終了するとステップ５０１において検索結果を保存する。続いてステップ５０２において、検索結果及び履歴一覧表示のためのボタンを表示する。ステップ５０３において、検索一覧ボタンが押されると検索履歴の一覧を表示する（ステップ５０４）。
【００３５】
次に、ステップ５０５で履歴の検索式の中から１つの式が選択された場合には、指定された検索式による検索を、現在の検索結果に対して行う（ステップ５０６）。ステップ５０７で、検索が終了したら検索結果を表示するが、この結果に対しても同様に検索結果は保存し、検索履歴表示ボタンを結果と同時に表示し、検索履歴式から１つの式が選択されれば更に絞り込んで検索を行うことができる。検索式が選択されない場合等、ステップ５０８で終了を判断して処理を終える。
【００３６】
ここで、検索式の選択は、タッチパネルになっている画面であれば、ペン等で式の先頭を選択したり、式を囲んだりすることで選択する。それ以外でも式に通し番号を付してユーザが番号入力するようにする等、式の選択が判別できればどんな手段であっても良い。図３には選択された式の一例を３０２として示す。又、再検索ボタン３０２は式が選択されると有効にすると良い。
【００３７】
以上のように、検索結果に対して、以前に行った検索式が簡単に実行できるので、ユーザの利便性が向上する。
【００３８】
図６は表示した履歴の検索式の一部を選択すると、その一部のみに対する検索結果を表示する際の動作を示したフローチャートである。
【００３９】
ステップ６０１で検索一覧ボタンが押されると、検索履歴の一覧を表示する（ステップ６０２）。ステップ６０３で検索式の中から１つのキーワードや、一部分の式が選択されると、ステップ６０４でそのキーワードや式に対する検索結果をリスト表示する。ここで、検索式にキーワードが複数指定された場合等、キーワード毎に検索した後で全体の式に合う結果を表示する場合には、それぞれのキーワードについての検索結果を保存しておけば、再検索の必要がないために効率が良い。リスト表示したファイルが選択されると（ステップ６０５）、ステップ６０６において選択されたファイルを表示する。検索式が選択されない場合等、ステップ６０７で終了を判断して処理を終える。前述した例と同様に、検索式や、検索キーワードの選択は、ボタンや、ペンでの選択等、ユーザが選択したことが分かればどのような方法であっても良い。
【００４０】
ここで、図７に検索式上に検索結果を表示する表示画面の一例を示す。
【００４１】
７０１は検索履歴として表示する式の中の一検索式である。ここでは分かり易いように他の式については図示しない。実際の画面でも、選択された式以外は網掛け表示させたり、逆に選択された式を網掛け表示したりする等してユーザに分かり易く表示する。ここでは、式７０１中の７０２に示した静止画という１キーワードが選択された様子を示す。７０３が選択されたことによって新しく表示されたリストである。例えば、７０４で示したｍａｐという名のファイルを選択すればそのファイルを表示する。
【００４２】
以上のように検索式の一部に対する検索結果を記憶しておき、検索式一覧から簡単に参照できるので、ユーザの利便性が向上する。
【００４３】
尚、上記実施の形態においては、全て携帯情報端末１００で検索を行ったが、検索する機器は携帯情報端末１００以外の端末でも良い。例えば、携帯電話やＰＨＳ端末、又はデジタルスチルカメラ等の端末であっても良く、デスクトップ型のＰＣ等の携帯性のないものでも良い。
【００４４】
又、上記実施の形態においては、検索式一覧表示指示手段は操作ボタンを表示部に表示させたが、物理的なボタンを割り振っても良い。
【産業上の利用可能性】
【００４５】
本発明は、特に装置で扱うデータの中から所望のデータを検索するための情報処理装置として有用である。
【図面の簡単な説明】
【００４６】
【図１】本発明の実施形態としての携帯情報端末のブロック図である。
【図２】表示部に出力される検索結果画面の一例を示す図である。
【図３】検索式履歴表示画面の一例を示す図である。
【図４】検索の履歴を表示してから、表示した検索履歴の再編集を行う際の動作を示したフローチャートである。
【図５】表示した検索履歴の検索式を選択し、現在の検索によって絞られているファイルに対して、選択された検索式による検索を行う際の動作を示したフローチャートである。
【図６】表示した履歴の検索式の一部を選択すると、その一部のみに対する検索結果を表示する際の動作を示したフローチャートである。
【図７】検索式上に検索結果を表示する表示画面の一例を示す図である。
【符号の説明】
【００４７】
１００  本体
１０１  システム制御部
１０２  メモリ
１０３  表示部
１０４  入力手段
１０５  検索手段
１０６  記憶手段
【図１】
2005267536.tif 000003
【図２】
2005267536.tif 000004
【図３】
2005267536.tif 000005
【図４】
2005267536.tif 000006
【図５】
2005267536.tif 000007
【図６】
2005267536.tif 000008
【図７】
2005267536.tif 000009